(57)【要約】【課題】圧縮機またはタービン用の据付け要素を提供すること。【解決手段】第１の片持ち据付け部分（２０）、および一連のねじ（６０）を使用して圧縮機またはタービンのケースに固定される第２の固定部分（３０）とを備える前記圧縮機またはタービン用の据付け要素（１０）であって、前記第２の固定部分（３０）は外面的に軸対称形の第３の端部部分（３２）、および運搬ロープの係脱を防止するために前記第３の部分（３２）と前記第１の据付け部分（２０）との間に位置する第４の副部分（３６）も備える。【選択図】図１
2007182890.tif 000002
【特許請求の範囲】
【請求項１】
第１の片持ち据付け部分（２０）および一連のねじ（６０）を使用して圧縮機またはタービンのケースに固定される第２の固定部分（３０）とを備える前記圧縮機またはタービン用の据付け要素（１０）であって、
前記第２の固定部分（３０）が外面的に軸対称形の第３の端部部分（３２）と、
運搬ロープの係脱を防止するために前記第３の部分（３２）と前記第１の据付け部分（２０）との間に位置する第４の副部分（３６）と
を備えることを特徴とする据付け要素。
【請求項２】
前記第３の端部部分（３２）が、前記第４の副部分（３６）に対してより小さな直径を有しかつそれと同軸である、外面的に円筒状部分であることを特徴とする請求項１記載の据付け要素（１０）。
【請求項３】
前記第３の端部部分（３２）が結合部分（３４）を使用して前記第４の副部分（３６）に結合されることを特徴とする請求項１または２記載の据付け要素（１０）。
【請求項４】
前記第１の片持ち据付け部分（２０）が、該第１の片持ち据付け部分（２０）が結合される前記第４の副部分（３６）のベース端部から出発して実質的に直交する方向に延びることを特徴とする請求項１乃至３のいずれか１項記載の据付け要素（１０）。
【請求項５】
第１の片持ち据付け部分（２０）が、第１のベース表面（４３）および第２のベース表面（４５）を画成できるように、それが結合される前記第４の部分（３６）の端部に対して実質的に中心位置に配置されることを特徴とする請求項１乃至４のいずれか１項記載の据付け要素（１０）。
【請求項６】
前記第１の片持ち部分（２０）が、第１のベース表面（２３）および該第１のベース表面（２３）と反対側の第２のベース表面（２５）を有し、前記第２のベース表面（２５）が前記圧縮機またはタービンを支持するための架台と連結されるのに適していることを特徴とする請求項１乃至５のいずれか１項記載の据付け要素（１０）。
【請求項７】
前記第１の据付け部分（２０）の前記第１のベース表面（２３）が前記第４の副部分（３６）の前記第１のベース表面（４３）に隣接し且つ該第１のベース表面（４３）に対して略直交し、前記第１の据付け部分（２０）の前記第２のベース表面（２５）が前記第４の部分（３６）の前記第２のベース表面（４５）に隣接し且つ該第２のベース表面（４５）に対し略直交することを特徴とする請求項６記載の据付け要素（１０）。
【請求項８】
前記第１の据付け部分（２０）が、支持架台と係合するのに適した前記第２のベース表面（２５）に位置する溝（２２）を備えることを特徴とする請求項６または７記載の据付け要素（１０）。
【請求項９】
前記第１の据付け部分（２０）が、前記第２のベース表面（２５）のところまで前記第１の部分（２０）を完全に通過する、前記第１のベース表面（２３）に位置する２つの貫通孔（２４）を備えることを特徴とする請求項６乃至８のいずれか１項記載の据付け要素（１０）。
【請求項１０】
前記第４の副部分（３６）が、前記圧縮機またはタービンに対して前記据付け要素（１０）を正しく位置決めし、かつ固定するための、対応する持ち上げ要素の挿入のための一連の移動用孔（３７）を備えることを特徴とする請求項１乃至９のいずれか１項記載の据付け要素（１０）。
【請求項１１】
前記第４の副部分（３６）の前記第２のベース表面（４５）が、前記第４の副部分（３６）の前記第１のベース表面（４３）に対して後退した位置にあることを特徴とする請求項５乃至１０のいずれか１項記載の据付け要素（１０）。
【請求項１２】
少なくとも１つの軸方向貫通孔（３３）が、前記第４の副部分（３６）の前記第１のベース表面（４３）に位置することを特徴とする請求項５乃至１１のいずれか１項記載の据付け要素（１０）。
【請求項１３】
少なくとも２つの軸方向貫通孔（３３）が、前記第４の副部分（３６）の前記第２のベース表面（４５）に位置することを特徴とする請求項５乃至１２のいずれか１項記載の据付け要素（１０）。
【発明の詳細な説明】
【技術分野】
【０００１】
本発明は、圧縮機またはタービンのケースに一連のねじを使用して外面に固定するように前もって配設される圧縮機またはタービン用の据付け要素に関する。
【背景技術】
【０００２】
通常「据付け足（ｒｅｓｔ  ｆｏｏｔ）」と呼ばれる、圧縮機またはタービン用の据付け要素は、ケースに対する第１の固定部分、およびその基台または架台に拘束されて敷設される片持ちの据付け部分を有するほぼ「Ｌ」字形の形態を有する。
【０００３】
特にこの据付け要素は、各部分がほぼ平行四面体の形態の縁部を有する。
【０００４】
第１の欠点は、圧縮機またはタービンのケースに位置する対応するねじ孔に挿入されるねじを使用してやはり固定される、製造時間および費用の増大を伴う別の掴み要素なしで、橋形起重機を使用してまたはロープによってさえも、この圧縮機またはタービンを移動させることができないことである。
【発明の開示】
【発明が解決しようとする課題】
【０００５】
本発明の１つの目的は、圧縮機またはタービンの据付け要素としてまたは持ち上げおよび移動要素としてのいずれかに使用することができる圧縮機またはタービン用の据付け要素を提供することである。
【０００６】
別の目的は、圧縮機またはタービン自体を持ち上げまたは移動させるための圧縮機またはタービンのケースに固定する掴み要素の必要を回避し、同時にそれらの固定のためのねじ孔を設ける必要を回避する圧縮機またはタービン用の据付け要素を提供することである。
【０００７】
別の目的は、圧縮機またはタービンのケースに対し外面的な固定のために使用する同じ数のねじでより良好な応力分布を可能にする圧縮機またはタービン用の据付け要素を提供することである。
【０００８】
さらに別の目的は、圧縮機またはタービンの製造時間および費用の低減を可能にする圧縮機またはタービン用の据付け要素を取得することである。
【課題を解決するための手段】
【０００９】
本発明によるこれらの目的は、請求項１に規定する圧縮機またはタービン用の据付け要素、すなわち、第１の片持ち据付け部分と一連のねじを使用して圧縮機またはタービンのケースに固定される第２の固定部分とを備える前記圧縮機/タービン用の据付け要素であって、前記第２の固定部分が外面的に軸対称形の第３の端部部分と、運搬ロープの係脱を防止するために前記第３の部分と前記第１の据付け部分との間に位置する第４の副部分とを備える据付け要素を設けることによって達成される。
【００１０】
本発明の別の特徴は従属請求項に示される。
【００１１】
本発明による圧縮機またはタービン用の据付け要素の特徴および利点は、添付の概略図面を参照する、以下の例示的、かつ非限定的な説明からより明らかになるであろう。
【発明を実施するための最良の形態】
【００１２】
図を参照するとこれらは、第１の片持ち据付け部分２０、および一連のねじ６０を使用して圧縮機またはタービンのケースに固定する第２の固定部分３０を備える圧縮機またはタービン用の据付け要素１０を示す。
【００１３】
この第２の固定部分３０は、外面的に軸対称形の第３の端部部分３２、および第３の部分３２と第１の据付け部分２０との間に位置する運搬ロープの係脱を防止するための第４の副部分（ｃｏｕｎｔｅｒ−ｐｏｒｔｉｏｎ）３６も備える。
【００１４】
このようにすると、前記第４の副部分３６のお陰で、前記第３の部分自体と係脱する可能性を回避して特に前記第３の部分３２と係合するのに適した運搬ロープを使って、橋型クレーンまたは同様な移動システムを使用してタービンまたは圧縮機を正しく据付け、同様に持ち上げかつ移動させることの両方が可能になる。
【００１５】
換言すれば、前記の据付け要素１０は実行可能な掴み要素の機能をも発揮させることができ、それら両方が必要なことおよびそれらを圧縮機またはタービンのケースに固定するためのねじ孔の製造時間および費用も回避するので有利である。
【００１６】
前記第３の端部部分３２は、前記第４の副部分３６に対して実質的により小さな直径を有し、それと同軸でもある円筒状部分であることが好ましい。
【００１７】
これは、圧縮機またはタービンの移動中、運搬ロープの係脱を防止する。
【００１８】
特に、好ましい実施形態によれば、この第３の端部部分３２は、より良好な応力分布を有するように結合部分３４を使用して第４の副部分３６に結合される。
【００１９】
前記第１の片持ち据付け部分２０は、実質的に前記第４の副部分３６と直交する、すなわちそれが結合される第４の副部分３６のベース端部から出発して実質的に直交する方向に延びることが好ましい。
【００２０】
前記第１の片持ち据付け部分２０は、第１のベース表面４３および第２のベース表面４５を画成できるように、それが結合される前記第４の部分３６の前記ベース端部に対して基本的に中心に配置されることが好ましい。
【００２１】
前記第１の片持ち部分２０は、第１のベース表面２３および第１と反対側の第２のベース表面２５を有し、前記第２のベース表面２５は、前記圧縮機またはタービンを支持するために架台と連結されるのに適している。
【００２２】
前記第４の部分３６の第２のベース表面４５は、より良好な応力分布を可能にし、かつ架台との据付け表面積２５を増大させることができるように、図３に示すように第１のベース表面４３に対して後退しているのが好ましい。
【００２３】
前記第１の据付け部分２０の前記第１のベース表面２３は、前記第４の部分３６の前記第１のベース表面４３に隣接し、かつそれに対しても実質的に直交することが好ましく、前記第１の据付け部分２０の前記第２のベース表面２５は、前記第４の部分３６の前記第２のベース表面４５に隣接し、かつそれに対しても実質的に直交することが好ましい。
【００２４】
前記第１の据付け部分２０は、支持架台と係合するのに適した、前記第１の据付け部分２０の前記第２のベース表面２５に位置する溝２２を備えることが好ましい。
【００２５】
前記第１の据付け部分２０は、前記据付け要素１０を図示しない架台に拘束するのに適した要素を挿入するための、前記第１の部分２０を前記第２のベース表面２５のところまで完全に通過する前記第１のベース表面２３に位置する２つの貫通孔２４を備えることが好ましい。
【００２６】
前記第４の副部分３６は、前記圧縮機またはタービンに対して前記据付け要素１０を正しく位置決めし、かつ固定するための、対応する持ち上げ要素の挿入のための一連の移動用孔３７を備えることが好ましい。
【００２７】
特に、前記第４の副部分３６の前記第２のベース表面４５は、前記第４の副部分３６の前記第１のベース表面４３に対して後退した位置にある。
【００２８】
特に、対応するねじ６０を挿入するための対応する座３８を装備する少なくとも１つの軸方向貫通孔３３は、前記第４の副部分３６の前記第１のベース表面４３に位置することが好ましい。
【００２９】
特に、前記座３８は、前記第４の副部分３６の前記ベース表面４３から出発して得られる。
【００３０】
特に、対応するねじ６０の挿入のための対応する座３９を特に装備する少なくとも２つの軸方向貫通孔３３は、前記第４の副部分３６の前記第２のベース表面４５に位置することが好ましい。
【００３１】
特に、前記座３９は前記第４の副部分３６の前記ベース表面４５から出発して得られ、より良好な応力分布およびベース連結表面２５の支持架台との正しい寸法設定ができるように、前記座３８に対して後退した位置にあることが好ましい。
【００３２】
このようにすると、前記据付け部分２０の第２のベース表面２５に発生する、圧縮機またはタービンの重量の力に対する反作用力によって発生する曲げモーメントに対抗する少なくとも２つのねじ６０が存在するので、前記据付け要素１０の応力を低減させることが可能になり有利である。
【００３３】
これによって、据付け要素および結果として圧縮機またはタービンの耐用年数および信頼性が増し、かつ連結ねじ６０の寸法／数を減らすことも可能になる。
【００３４】
したがって、本発明による圧縮機またはタービン用の据付け要素１０は、上記で示した目的を達成することが分かる。
【００３５】
この結果、考え出される本発明の圧縮機またはタービン用の据付け要素は、全て同じ発明概念に含まれる多数の改変および変形形態を実施することができる。
【００３６】
さらに実際には、やはり寸法および構成部品と同様に、使用される材料を技術要求にしたがって変更することができる。
【図面の簡単な説明】
【００３７】
【図１】本発明による圧縮機またはタービン用の据付け要素の好ましい実施形態の、上からの拡大左側斜視図である。
【図２】図１の据付け要素の拡大前面図である。
【図３】図２の据付け要素の線ＩＩＩ−ＩＩＩによる拡大側面横断面図である。
【図４】図１の据付け要素の上からの図である。
【図５】圧縮機のケースにねじを使用して固定された、図１の要素の上からの拡大左側斜視図である。
【符号の説明】
【００３８】
１０  据付け要素
２０  第１の片持ち据付け部分
２２  溝
２３  第１のベース表面
２４  貫通孔
２５  第２のベース表面
３０  第２の固定部分
３２  第３の端部部分
３３  貫通孔
３４  結合部分
３６  第４の副部分
３７  移動用孔
４３  第１のベース表面
４５  第２のベース表面
６０  ねじ
【図１】
2007182890.tif 000003
【図２】
2007182890.tif 000004
【図３】
2007182890.tif 000005
【図４】
2007182890.tif 000006
【図５】
2007182890.tif 000007